(57)【要約】【課題】半透過型ＬＣＤにおいて、表示特性を改善すると共に、ＬＣＤの薄型化、低コスト化を図る。【解決手段】反射領域において、カラーフィルター側のガラス基板２００の液晶層３００と対向する側に、ＵＶキュアが施されたＵＶキュアラブル液晶２４０を塗布し、これに紫外線を照射して硬化した。ＵＶキュアラブル液晶２４０は、位相差板の役割を果たすため、従来の半透過型ＬＣＤのように、カラーフィルター側のガラス基板やＴＦＴガラス基板に位相差板を貼り付ける必要がなくなる。また、ＵＶキュアラブル液晶２４０はパターニングが容易に行えることから、反射領域にのみこれを選択的に形成することができる。【選択図】  図２
2005141110.tif 000002
【特許請求の範囲】
【請求項１】
複数の画素を有し、各画素内に反射領域と透過領域とを備える液晶表示装置であって、
第１の透明電極を有する第１の基板と、
第２の透明電極を有する第２の基板と、
前記第１の基板と前記第２の基板の間に封入された液晶層と、
前記反射領域の前記第１の基板上に形成され、前記第２の基板を透過して入射する光を反射する反射電極と、
前記反射領域に形成された光学的位相差を有する層と、を備えることを特徴とする液晶表示装置。
【請求項２】
前記光学的位相差を有する層は、ＵＶキュアが施されたＵＶキュアラブル液晶層であることを特徴とする請求項１に記載の液晶表示装置。
【請求項３】
前記光学的位相差を有する層は、前記第１の基板の前記液晶層側に配置されたことを特徴とする請求項１又は請求項２に記載の液晶表示装置。
【請求項４】
前記光学的位相差を有する層は、前記第２の基板の前記液晶層側に配置されたことを特徴とする請求項１又は請求項２に記載の液晶表示装置。
【請求項５】
前記光学的位相差を有する層は配向膜を介して複数積層されていることを特徴とする請求項１又は請求項２に記載の液晶表示装置。
【請求項６】
前記第１の基板又は前記第２の基板上に突起部を設け、この突起部上に前記反射電極を配置したことを特徴とする請求項１又は請求項２に記載の液晶表示装置。
【請求項７】
前記液晶層がネマティック液晶から成ることを特徴とする請求項１、２、３、４、５、６のいずれか１つに記載の液晶表示装置。
【請求項８】
前記第１の基板及び前記第２の基板にそれぞれ偏光板を貼り付けたことを特徴とする請求項１、２、３、４、５、６のいずれか１つに記載の液晶表示装置。
【請求項９】
前記光学的位相差を有する層の遅相軸は、前記偏光板の吸収軸と４０°以上５０°以下の範囲の角度をなすことを特徴とする請求項８に記載の液晶表示装置。
【請求項１０】
複数の画素を有し、各画素内に反射領域と透過領域とを備える液晶表示装置であって、
第１の透明電極を有する第１の基板と、
第２の透明電極を有する第２の基板と、
前記第１の基板及び前記第２の基板にそれぞれ貼り付けされた偏光板と、
前記第１の基板と前記第２の基板の間に封入された液晶層と、
前記第１の基板上の一画素内の反射領域に形成され、前記第２の基板を透過して入射する光を反射する反射電極と、
前記反射領域に形成された光学的位相差を有する第１の層と、
前記第１の層上に配向膜を介して積層された光学的位相差を有する第２の層と、を備え、前記第１の層の遅相軸は、前記偏光板の吸収軸と４０°以上５０°以下の範囲の角度をなし、前記第２の層の遅相軸は、前記第１の相の遅相軸と４５°以上５５°以下の範囲の角度をなすことを特徴とする液晶表示装置。
【請求項１１】
前記第１の層及び第２の層は、ＵＶキュアが施されたＵＶキュアラブル液晶層であることを特徴とする請求項１０に記載の液晶表示装置。
【請求項１２】
前記第１の層及び第２の層は、前記第１の基板の前記液晶層側に配置されたことを特徴とする請求項１０又は請求項１１に記載の液晶表示装置。
【請求項１３】
前記第１の層及び第２の層は、前記第２の基板の前記液晶層側に配置されたことを特徴とする請求項１０又は請求項１１に記載の液晶表示装置。
【発明の詳細な説明】
【技術分野】
【０００１】
本発明は、液晶表示装置に関し、特に各画素に反射領域と透過領域の両方が設けられた半透過型の液晶表示装置に関する。
【背景技術】
【０００２】
液晶表示装置（以下ＬＣＤという）は、薄型で低消費電力であるという特徴を備え、現在コンピュータのモニターや、携帯電話等の携帯情報機器のモニターとして広く用いられている。ＬＣＤには、透過型ＬＣＤと反射型ＬＣＤとがある。透過型ＬＣＤは、液晶に電圧を印加するための画素電極として透明電極を用い、ＬＣＤパネルの後方にバックライト光源を配置し、このバックライトの透過光量をＬＣＤパネルで制御することで周囲が暗くても明るい表示ができる。しかし、常にバックライト光源を点灯して表示を行うため、消費電力が大きいこと、また昼間の屋外のように外光が強い環境では、十分なコントラストが確保できない特性がある。
【０００３】
一方、反射型ＬＣＤでは、太陽光や室内灯などの外光を光源として用い、ＬＣＤパネルに入射するこれらの外光を、観察面側の基板に形成した反射電極によって反射する。そして、液晶層に入射し、反射電極で反射された光のＬＣＤパネルからの射出光量を画素毎に制御することで表示を行う。この反射ＬＣＤは、光源として外光を用いるため、外光がない環境では表示を行えないが、透過型ＬＣＤと異なり、光源による消費電力がなく低消費電力であり、また外光が強い環境で十分なコントラストが得られるという特性がある。
【０００４】
近年、透過機能と反射機能の両方を併せ持ち、周囲が明るい環境でも暗い環境でも見やすいＬＣＤとして半透過型ＬＣＤが開発されている。この半透過型ＬＣＤでは、１つの画素内で、透過機能を実現するためにＩＴＯなどの透明電極を用い、反射機能を実現するためにＡｌなど反射特性の良い反射電極を用いる。
【０００５】
図９は、各画素に薄膜トランジスタ（ＴＦＴ：thin film transistor）を備えた従来のアクティブマトリクス型の半透過型ＬＣＤの一画素の構造を示す断面図である。
この半透過型ＬＣＤでは、所定のギャップを隔てて、ＴＦＴ（不図示）が形成されたＴＦＴガラス基板１００とカラーフィルター２３０を備えたガラス基板２００とが貼り合わされ、これらの間に液晶層３００が封入されている。
【０００６】
反射領域では、層間絶縁膜などでＴＦＴ側ガラス基板１００上に突起部１３０が形成され、その突起部１３０上に反射電極１４０が形成されている。この突起部１３０を設けたことにより、反射電極１４０とカラーフィルター側のガラス基板２００とのギャップが小さくなることで反射特性を良好にしている。カラーフィルター側のガラス基板２００の観察面側には、偏光板２１０が貼り付けられているが、さらに偏光板２１０とカラーフィルター側のガラス基板２００の間にはλ／２板２２０ａ及びλ／４板２２０ｂから成る第１の位相差板２２０が貼り合わされている。ここで、λ／２板２２０ａは、入射光の波長λの１／２波長分の位相をずらす働きをし、１／４板２２０ｂは、入射光の波長λの１／４波長分の位相をずらす働きをする。
【０００７】
第１の位相差板２２０を設ける理由は、反射領域において、黒表示を良好にできるノーマリーホワイト型のＬＣＤを実現するためである。すなわち、ＬＣＤには液晶層３００に電圧が印加されていない状態で白表示を行うノーマリーホワイト型と、反対にこの状態で黒表示を行うノーマリーブラック型とがあるが、一般にノーマリーホワイト型の方が黒表示を良好にできることが知られている。
【０００８】
しかしながら、第１の位相差板２２０がない場合、液晶層３００に電圧を印加して液晶層３００中の液晶分子の液晶分子長軸が立ったときに、偏光板２１０、カラーフィルター側ガラス基板２００及び液晶層３００を通して反射電極１２０で反射された反射光は、位相差がない状態で再び逆の経路でそのまま外部に射出されるため黒表示が得られない。  
そこで、第１の位相差板２２０を設け、入射光及び反射光の直線偏光状態を円偏向状態に変化させることで、液晶層３００に電圧が印加された状態で黒表示を可能にし、ノーマリーホワイト型の表示を実現している。
【０００９】
一方、透過領域では、ノーマリーホワイト型の表示を得るためには、第１の位相差板２２０は本来必要ではないが、反射領域で第１の位相差板２２０を設けたことで透過領域にも第１の位相差板２２０が設けられることになる。そこで、透過領域でもノーマリーホワイトの表示を得るために、偏向板１１０とＴＦＴガラス基板１００との間に位相差板λ／２板１２０ａ及びλ／４板１２０ｂから成る、第１の位相差板２２０と同様な第２の位相差板１２０が貼り合わされている。
【００１０】
上述した半透過型ＬＣＤは、ノーマリーホワイト型で、かつＥＣＢ（電界制御型複屈折）モードで動作する。
【特許文献１】特開２００３−２５５３９９号公報
【発明の開示】
【発明が解決しようとする課題】
【００１１】
しかしながら、上述した従来の半透過型ＬＣＤでは、透過領域においても第１の位相差板２２０及び第２の位相差板１１０を設けており、またＥＣＢモードで動作することから、透過領域の特性（透過率、コントラスト）が低下するという問題があった。
【００１２】
また、第１の位相差板２２０及び第２の位相差板１１０はそれぞれ０．０７ｍｍ程度の厚さがあるため、２枚では０．１４ｍｍの厚さになり、その分ＬＣＤが厚くなるという問題があった。さらに、第１の位相差板２２０及び第２の位相差板１１０の分、ＬＣＤのコストが高くなるという問題もあった。
【課題を解決するための手段】
【００１３】
本発明は、上述した従来技術の課題に鑑みてなされたものであり、反射領域において、カラーフィルター側のガラス基板の液晶層と対向する側、もしくはＴＦＴガラス基板の液晶層と対向する側に、ＵＶキュアラブル液晶層（紫外線で硬化可能な液晶層をいう）を配向膜で配向させて塗布し、これにＵＶ（紫外線）を照射し硬化したものである。
【００１４】
かかる構成によると、ＵＶキュアラブル液晶層が、位相差板の役割を果たすため、従来の半透過型ＬＣＤのように、カラーフィルター側のガラス基板やＴＦＴガラス基板に位相差板を貼り付ける必要がなくなる。また、ＵＶキュアラブル液晶層はパターニングが容易に行えることから、反射領域にのみこれを選択的に形成することができる。
【発明の効果】
【００１５】
本発明によれば、透過領域及び反射領域ともに良好な表示が得られる。特に、透過領域では、位相差板がなく、しかもＥＣＢモードではなくＴＮモードで動作するため、従来の透過型ＬＣＤと同等の優れた透過特性、コントラスト特性を得ることができる。
【００１６】
また、位相差板を用いないので、ＬＣＤの薄型化が可能であり、特に携帯電話等の携帯用情報機器のモニターに用いて好適である。  さらに、位相差板を用いないので、ＬＣＤの低コスト化を実現できる。
【発明を実施するための最良の形態】
【００１７】
次に、本発明の実施形態について図面を参照しながら説明する。まず、第１の実施形態に係る液晶表示装置について説明する。図１は、この液晶表示装置の全体構成図、図２は、１画素の構成を示す断面図である。なお、図２において、図９と同一の構成部分については同一の符号を付してその説明を省略する。
【００１８】
この液晶表示装置は、図１に示すように、ｎ行ｍ列マトリクスに配置された複数の画素を備え、各画素は、画素選択用ＴＦＴ１０、液晶層３００及び保持容量Ｃscを備えている。画素選択用ＴＦＴ１０のゲートには、行方向に延びたゲートライン２０が接続され、そのドレインには、列方向に延びたデータライン２１が接続されている。各行のゲートライン２０には垂直ドライブ回路３０からゲート走査信号が順次供給され、これに応じて画素選択用ＴＦＴ１０が選択される。また、データライン２１には水平ドライブ回路４０からのドレイン走査信号に応じて、ビデオ信号が供給され、画素選択用ＴＦＴ１０を通して液晶層３００に印加される。保持容量Ｃscは画素選択用ＴＦＴ１０を通して供給されるビデオ信号を保持するために用いられる。
【００１９】
次に、図２を参照して一画素の構造について説明する。この画素は、半透過型のＬＣＤ画素であり、反射領域と透過領域を備えている。所定のギャップを隔てて、画素選択用ＴＦＴ１０（不図示）が形成されたＴＦＴガラス基板１００とカラーフィルター層２３を備えたガラス基板２００とが貼り合わされ、これらの間に液晶層３００が封入されている。本実施形態では、液晶層３００は、ＴＮ（ねじれネマティック）効果を有するネマティック液晶で形成されることが好ましい。また、ＴＦＴガラス基板１００、ガラス基板２００は、入射光を透過する特性を有する透明又は半透明の絶縁材料から成る基板であれば良く、ガラス基板であるとは限らない。
【００２０】
反射領域では、ＴＦＴガラス基板１００上に、層間絶縁膜等から成る突起部１３０が形成され、その突起部１３０上に、アルミニウム等の反射特性に優れた材料から成る反射電極１４０が形成されている。なお、反射電極１４０はＴＦＴガラス基板１００上に形成されるが、突起部１３０はガラス基板２００上に形成されていても良い。
【００２１】
そして、反射電極１４０と対向して、カラーフィルター側のガラス基板２００上にカラーフィルター層２３０及び配向膜２０１を介してＵＶキュアが施されたＵＶキュアラブル液晶層２４０をこの反射領域のみに選択的に形成したものである。その形成方法は、カラーフィルター層２３０の全面に、液体状のＵＶキュアラブル液晶層を塗布形成し、反射領域にのみ紫外線を選択的に照射し、その後、薬品を用いて紫外線が照射されなかった透過領域のＵＶキュアラブル液晶層を除去するものである。
【００２２】
このＵＶキュアラブル液晶層２４０は、ＵＶキュアを施すことで、入射光の位相を所定波長だけずらすという位相差板として機能を有する。その位相差は、ＵＶキュアラブル液晶層２４０の厚さを変えることで調整できる。例えば、このＵＶキュアラブル液晶層２４０をλ／４板として機能させれば、液晶層３００に電極を介して電圧を印加して液晶分子長軸を立たせたときに黒表示をすることができる。すなわち、反射領域はノーマリーホワイトの反射型ＬＣＤとして機能する。
【００２３】
一方、透明領域については、透明電極（不図示）を備えたガラス基板２００と透明電極（不図示）を備えたＴＦＴ基板１００との間に封入された液晶層３００を有する構造で、位相差板は設けられていないため、これは通常の透過型ＬＣＤの構造を有している。したがって、透過領域はこれと同等の透過特性及びコントラスト特性を有する。
【００２４】
また、ＵＶキュアラブル液晶層２４０の遅相軸は、ガラス基板２００に貼り付けられた偏光板２１０の吸収軸及びＴＦＴガラス基板１００に貼り付けられた偏光板１１０の吸収軸と４０°以上５０°以下の範囲の角度をなすことが、後述する反射ＶＴ特性を良好にする上で好ましい。
【００２５】
本実施形態によれば、透過領域及び反射領域ともに良好な表示が得られると共に、従来例の第１の位相差板２２０、第２の位相差板１１０を設けなくてもよいのでＬＣＤの薄型化が可能であり、しかもＬＣＤの低コスト化を実現できる。
【００２６】
次に、第２の実施形態に係る液晶表示装置について説明する。図３は、１画素の構成を示す断面図である。なお、図３において、図２と同一の構成部分については同一の符号を付してその説明を省略する。また、液晶表示装置の全体構成図は図１と同様である。
【００２７】
この画素では、ＴＦＴガラス基板１００上に反射領域と透過領域の両方の領域にＩＴＯから成る透明電極１３１が形成され、反射領域では、この透明電極上１３１を覆うように、アルミニウム等の反射特性に優れた材料から成る反射電極１３２が形成されている。反射電極１３２は、不図示の画素選択用ＴＦＴ１０のソース又はドレインに接続されている。さらに、液晶層３００を配向させるための配向膜１３３が透過領域の透明電極１３１及び反射電極１３２を覆うように形成されている。
【００２８】
また、もう１つのガラス基板２００には、カラーフィルター層２３０が貼り合わされ、このカラーフィルター層２３０の表面に配向膜２５１が被着されている。そして、反射領域で、配向膜２５１上に、ＵＶキュアが施されたＵＶキュアラブル液晶２５２が選択的に形成されている。ＵＶキュアラブル液晶２５２は、第１の配向膜２５１によって配向される。このＵＶキュアラブル液晶２５２の形成方法は、第１の実施形態と同じである。そして、透過領域のカラーフィルター層２３０及びＵＶキュアラブル液晶２５２の液晶層３００に臨む表面に第１の透明電極２５３が、これらを覆うように形成されている。更に、透明電極２５３の表面を覆い、液晶層３００を配向するための配向膜２５４が形成されている。
【００２９】
ＵＶキュアラブル液晶２５２は、第１の実施形態と同様に、位相差板として機能するが、その位相差はその膜厚に依存する。位相差板としての複屈折率Δｎは波長依存性を有しており、例えば反射領域への入射光の波長が５８９．６ｎｍである場合には、Δｎは０．０６である。ＵＶキュアラブル液晶２５２の厚さが１．４μｍであるとすると、位相差はΔｎ×ＵＶキュアラブル液晶２５２の厚さで表され、この場合８４ｎｍとなる。
【００３０】
ここで、液晶層３００の複屈折率Δｎは０．１２９、リタデーションΔｎｄは２５８ｎｍ（反射領域への入射光の波長が５８９．６ｎｍである場合）である。また、ガラス基板２００に貼り付けられた偏光板２１０の吸収軸の角度は４５°であり、液晶層３００の配向方向もこの角度方向である。また、ＴＦＴガラス基板１００に貼り付けられた偏光板１１０の吸収軸の角度は１３５°である。また、ＵＶキュアラブル液晶２５２の配向方向の角度は９０°である。
【００３１】
また、液晶層３００の厚さで規定される、反射領域のギャップｄ１と透過領域のギャップｄ２は、反射特性と透過特性のバランスを考慮すると、第１の実施形態のように突起部１３０を設けることでｄ１＜ｄ２とすることが好ましい。これは、反射領域では反射のために液晶層３００を通る光の距離が透過領域の２倍になるためである。本実施形態では、突起部１３０を格別に設けなくとも、ＵＶキュアラブル液晶２５２そのものが、突起部となるため、ｄ１＜ｄ２という関係を自然に実現できる。
【００３２】
ギャップｄ１、ｄ２の比は、透過ＶＴ特性（入射光の透過率対液晶印加電圧の特性）、反射ＶＴ特性（入射光の反射率対液晶印加電圧の特性）のバランスを考慮して液晶表示が最も見やすい条件に設定することが重要である。ここで、液晶印加電圧とは、透明電極２５３、１３３及び反射電極１３２を介して、液晶層３００に印加される電圧をいう。
【００３３】
そこで、本発明者は、ギャップｄ１、ｄ２をパラメータとして、ＴＮ液晶を用いた半透過ＬＣＤについて、これらの特性のコンピュータ・シミューレーションを行った。その結果、ｄ１：ｄ２＝２：３．４のとき、これらの特性が最適化されることが判明した。図４は、ｄ１：ｄ２＝２：３．４のときの透過ＶＴ特性のコンピュータ・シミュレーション結果を示す図である。図４において、縦軸は透過率、横軸は液晶層に印加される電圧を示している。図５は、ｄ１：ｄ２＝２：３．４のときの反射ＶＴ特性のシミュレーション結果を示す図である。図５において、縦軸は反射率、横軸は液晶層に印加される電圧を示している。入射光の波長としては４６０ｎｍ（青）、５５０ｎｍ（緑）、６３０ｎｍ（赤）の３種類がある。  
【００３４】
図４の透過ＶＴ特性において、液晶印加電圧が２Ｖ程度のとき、３種類の波長についてほぼ揃って透過率の遷移が生じる。一方、図５の反射ＶＴ特性では、種類の波長について多少のばらつきがあるが、同様に液晶印加電圧が２Ｖ程度のとき反射率の遷移が生じる。
なお、ＵＶキュアラブル液晶層２５２の遅相軸は、ガラス基板２００に貼り付けられた偏光板２１０の吸収軸及びＴＦＴガラス基板１００に貼り付けられた偏光板１１０の吸収軸と４０°以上５０°以下の範囲の角度をなすことが、良好な反射ＶＴ特性を得る上で好ましい。
【００３５】
次に、第３の実施形態に係る液晶表示装置について説明する。図６は、１画素の構成を示す断面図である。なお、図６において、図３と同一の構成部分については同一の符号を付してその説明を省略する。また、この液晶表示装置の全体構成図は図１と同様である。
【００３６】
この画素は、図６に示すように、ＵＶキュアラブル液晶層１４３は、第２の実施形態とは反対に、ＴＦＴガラス基板１００上に形成されている。反射領域では、ＴＦＴガラス基板１００上にアルミニウム等の反射特性に優れた材料から成る反射電極１４１が選択的に形成されている。反射電極１４１は、不図示の画素選択用ＴＦＴ１０のソース又はドレインに接続されている。そして、反射電極１４１上に配向膜１４２を介して、ＵＶキュアが施されたＵＶキュアラブル液晶層１４３が形成されている。ＵＶキュアラブル液晶１４３は、配向膜１４２によって配向される。ＵＶキュアラブル液晶１４３の形成方法は、第１の実施形態と同じである。
【００３７】
また、透過領域のＴＦＴガラス基板１００の表面及びＵＶキュアラブル液晶１４３の液晶層３００に臨む表面に透明電極１４４が、これらを覆うように形成されている。更に、透明電極１４４の表面を覆い、液晶層３００を配向するための配向膜１４５が形成されている。一方、もう１つのガラス基板２００の表面には、カラーフィルター層２３０が貼り合わされ、このカラーフィルター層２３０の表面に、透明電極２６１、配向膜２６２が被着されている。
【００３８】
なお、ＵＶキュアラブル液晶層１４３の遅相軸は、ガラス基板２００に貼り付けられた偏光板２１０の吸収軸及びＴＦＴガラス基板１００に貼り付けられた偏光板１１０の吸収軸と４０°以上５０°以下の範囲の角度をなすことが、良好な反射ＶＴ特性を得る上で好ましい。
【００３９】
次に、第４の実施形態に係る液晶表示装置について説明する。図７は、１画素の構成を示す断面図である。なお、図７において、図２と同一の構成部分については同一の符号を付してその説明を省略する。また、この液晶表示装置の全体構成図は図１と同様である。
【００４０】
この画素は、図７に示すように、ＵＶキュアされたＵＶキュアラブル液晶層を２層構造で構成したものであり、ガラス基板２００側で、カラーフィルター層２３０上に配向２５１を介して、ＵＶキュアされた第１のＵＶキュアラブル液晶層２７１、配向膜２７２、ＵＶキュアされた第２のＵＶキュアラブル液晶層２７３の順に積層したものである。従来例と対比すれば、第１のＵＶキュアラブル液晶層２７１がλ／４板、第２のＵＶキュアラブル液晶層２７３がλ／２板として機能するものであるが、それぞれの位相差は、それぞれの厚さによって設定することができるので、λ／４板やλ／２板に限られない。
【００４１】
位相差板としての複屈折率Δｎは波長依存性を有しており、例えば反射領域への入射光の波長が５８９．６ｎｍである場合には、Δｎは０．２６５である。第１のＵＶキュアラブル液晶２６１の厚さが０．３０μｍ、第２のＵＶキュアラブル液晶２６３の厚さが１．２０μｍであるとすると、位相差はΔｎ×ＵＶキュアラブル液晶の厚さで表されるから、第１のＵＶキュアラブル液晶２７１と第２のＵＶキュアラブル液晶２７３の位相差は、それぞれ８１ｎｍ、３１８ｎｍとなる。
【００４２】
ここで、液晶層３００の複屈折率Δｎは０．１２９、リタデーションΔｎｄは２５８ｎｍ（反射領域への入射光の波長が５８９．６ｎｍである場合）である。また、ガラス基板２００に貼り付けられた偏光板２１０の吸収軸の角度は４５°であり、液晶層３００の配向方向もこの角度方向である。また、ＴＦＴガラス基板１００に貼り付けられた偏光板１１０の吸収軸の角度は１３５°である。また、第１のＵＶキュアラブル液晶２７１の配向方向の角度は９０°、第２のＶキュアラブル液晶２７３の配向方向の角度は１４２°である。
【００４３】
このように、ＵＶキュアされたＵＶキュアラブル液晶層を２層構造で構成する利点は、反射ＶＴ特性を第２の実施形態の反射ＶＴ特性に比して良好にできる点である。図８は、ギャップｄ１，ｄ２の比が、ｄ１：ｄ２＝１．９：３．４の条件下で、ＵＶキュアラブル液晶層を２層化した場合の反射ＶＴ特性のコンピュータ・シミュレーション結果を示す図である。この図から明らかなように、４８０ｎｍ、５５０ｎｍ、６３０ｎｍの３つの波長について、反射ＶＴ特性のばらつきが少なくなっている。
【００４４】
本実施形態では、ＵＶキュアされたＵＶキュアラブル液晶層を２層化した構造を示したが、これに限らず、配向膜を介して３層以上のＵＶキュアラブル液晶層を形成しても良い。また、第１、第２、第３及び第４の実施形態では、ＵＶキュアされたＵＶキュアラブル液晶層を用いているが、光学的位相差を有する層であれば、その他の層、例えば、延伸した高分子フィルムをパターニングして、ＵＶキュアされたＵＶキュアラブル液晶層の代わり用いても良い。
【図面の簡単な説明】
【００４５】
【図１】本発明の第１の実施形態に係る液晶表示装置の全体構成図である。
【図２】本発明の第１の実施形態に係る液晶表示装置の１画素の構成を示す断面図である。
【図３】本発明の第２の実施形態に係る液晶表示装置の１画素の構成を示す断面図である。
【図４】本発明の第２の実施形態に係る液晶表示装置透過ＶＴ特性のコンピュータ・シミュレーション結果を示す図である。
【図５】本発明の第２の実施形態に係る液晶表示装置の反射ＶＴ特性のシミュレーション結果を示す図である。
【図６】本発明の第３の実施形態に係る液晶表示装置の１画素の構成を示す断面図である。
【図７】本発明の第４の実施形態に係る液晶表示装置の１画素の構成を示す断面図である。
【図８】本発明の第４の実施形態に係る液晶表示装置の反射ＶＴ特性のシミュレーション結果を示す図である。
【図９】従来例に係る液晶表示装置の１画素の構成を示す断面図である。
【符号の説明】
【００４６】
１０  画素選択用ＴＦＴ      ２０  ゲートライン          ２１  データライン
３０  垂直ドライブ回路      ４０  水平ドライブ回路    １００  ＴＦＴガラス基板１１０  偏向板              １３１  透明電極            １３２  反射電極        １３３  配向膜              １４１  反射電極            １４２  配向膜          １４３  ＵＶキュアラブル液晶層                          １４４  透明電極
１４５  配向膜              ２００  ガラス基板          ２０１  配向膜
２１０  偏光板              ２３０  カラーフィルター層
２４０  ＵＶキュアラブル液晶層                          ２５１  配向膜
２５２  ＵＶキュアラブル液晶層                          ２５３  透明電極
２５４  配向膜              ２６１  透明電極            ２６２  配向膜
２７１  第１のＵＶキュアラブル液晶層                    ２７２  配向膜
２７３  第１のＵＶキュアラブル液晶層
【図１】
2005141110.tif 000003
【図２】
2005141110.tif 000004
【図３】
2005141110.tif 000005
【図４】
2005141110.tif 000006
【図５】
2005141110.tif 000007
【図６】
2005141110.tif 000008
【図７】
2005141110.tif 000009
【図８】
2005141110.tif 000010
【図９】
2005141110.tif 000011